(57)【要約】【課題】別途の光吸収部材によらず、減算混合原理及び補色効果を利用して明室コントラストを向上させ、かつ、フィルタ構造を改善してコストダウンを達成しながらも向上した品質の映像を提供できるプラズマディスプレイ装置を提供する。【解決手段】このプラズマディスプレイ装置は、前方基板１１０及び後方基板１２０と、前方基板１１０と後方基板１２０との間に設けられ、内部に蛍光体１２５が塗布されている複数の放電セルＳと、を備えて所定の映像を具現するプラズマディスプレイパネル１００と、映像表示面となる前方基板１１０の前面に直接付着される付着フィルタ１３０と、を備え、付着フィルタ１３０と蛍光体１２５とは、相異なる第１色相及び第２色相によりそれぞれ着色されている。【選択図】図１
2008197645.tif 000002
【特許請求の範囲】
【請求項１】
前方基板及び後方基板と、前記前方基板と前記後方基板との間に設けられ、内部に蛍光体が塗布されている複数の放電セルと、を備えて所定の映像を具現するプラズマディスプレイパネルと、
映像表示面となる前記前方基板の前面に直接付着される付着フィルタと、
を備え、
前記付着フィルタと蛍光体とは、相異なる第１色相及び第２色相によりそれぞれ着色されていることを特徴とする、プラズマディスプレイ装置。
【請求項２】
前記第１色相及び前記第２色相は、互いに補色関係を構成する色に選択されることを特徴とする、請求項１に記載のプラズマディスプレイ装置。
【請求項３】
前記第１色相及び前記第２色相は、それぞれ青色及びオレンジ色のうち互いに排他的な色に選択されることを特徴とする、請求項１に記載のプラズマディスプレイ装置。
【請求項４】
前記蛍光体がその発光色によって赤色、緑色、青色の蛍光体に区分される場合、
前記赤色及び前記青色の蛍光体は、前記第２色相で着色され、
前記緑色の蛍光体は、着色されないことを特徴とする、請求項１に記載のプラズマディスプレイ装置。
【請求項５】
前記付着フィルタは、互いに対面して配されたベースフィルム及び電磁波遮蔽層を備え、
前記ベースフィルムは、前記第１色相で着色されていることを特徴とする、請求項１に記載のプラズマディスプレイ装置。
【請求項６】
前記付着フィルタは、ベースフィルムと電磁波遮蔽層とが単一層に混入された複合材料からなることを特徴とする、請求項１に記載のプラズマディスプレイ装置。
【請求項７】
前記付着フィルタは、
ベースフィルムと、
前記ベースフィルムの前方に支持されるアンチグレア層または反射防止層と、
前記ベースフィルムの後方に支持され、電磁波遮断のための電磁波遮蔽層と、
前記ベースフィルムと前記プラズマディスプレイパネルとの間で結合を媒介する粘着層と、
を備え、
前記ベースフィルムと、アンチグレア層または反射防止層と、粘着層とのうち少なくともいずれか１層は、前記第１色相で着色されていることを特徴とする、請求項１に記載のプラズマディスプレイ装置。
【請求項８】
前記付着フィルタは、
第１ベースフィルムと、
前記第１ベースフィルムの前方に支持されるアンチグレア層または反射防止層と、
前記第１ベースフィルムの後方に配される第２ベースフィルムと、
前記第２ベースフィルムの後方に配される電磁波遮蔽層と、
前記電磁波遮蔽層と前記プラズマディスプレイパネルとの間で結合を媒介する粘着層と、を備え、
前記第１ベースフィルムと、アンチグレア層または反射防止層と、第２ベースフィルムと、粘着層とのうち少なくともいずれか１層は、前記第１色相で着色されることを特徴とする、請求項１に記載のプラズマディスプレイ装置。
【請求項９】
前記前方基板と前記後方基板との間には、前記前方基板と前記後方基板との間の空間を複数の放電セルに区画する隔壁が設けられ、
前記隔壁は、前記蛍光体と同じ色相で着色されていることを特徴とする、請求項１に記載のプラズマディスプレイ装置。
【請求項１０】
前方基板及び後方基板と、前記前方基板と前記後方基板との間に配され、内部に蛍光体が塗布されている複数の放電セルと、を備えて所定の映像を具現するプラズマディスプレイパネルと、
映像表示面となる前記前方基板の前面に直接付着される付着フィルタと、
を備え、
互いに補色関係にある第１色相及び第２色相が前方から後方に着色されるように、前記付着フィルタは前記第１色相で付着され、前記前方基板は前記第２色相で付着され、前記蛍光体は前記第１色相で着色されていることを特徴とする、プラズマディスプレイ装置。
【請求項１１】
前記第１色相及び前記第２色相は、それぞれ青色及びオレンジ色のうち互いに排他的な色に選択されることを特徴とする、請求項１０に記載のプラズマディスプレイ装置。
【請求項１２】
前記前方基板と前記後方基板との間には、前記前方基板と前記後方基板との間の空間を複数の放電セルに区画する隔壁が設けられ、
前記隔壁は、前記蛍光体と同じ色相で着色されていることを特徴とする、請求項１０に記載のプラズマディスプレイ装置。
【請求項１３】
複数の放電電極が支持されている前方基板と、前記放電電極を埋め込む前方誘電体層と、前記前方基板と後方基板との間を複数の放電セルに区画する隔壁と、前記放電セル内に塗布された蛍光体と、前記放電セルの内部に充填されている放電ガスと、を備えるプラズマディスプレイパネルと、
映像表示面となる前方基板の前面に直接付着される付着フィルタと、
を備え、
補色関係にある第１色相及び第２色相が前方から後方に着色されるように、前記付着フィルタは前記第１色相で付着され、前記前方基板は前記第２色相で付着され、前記蛍光体は前記第１色相で着色され、前記蛍光体は前記第２色相で着色されていることを特徴とする、プラズマディスプレイ装置。
【請求項１４】
前記隔壁は、前記蛍光体と同じ色相で着色されていることを特徴とする、請求項１３に記載のプラズマディスプレイ装置。
【請求項１５】
前方基板及び後方基板と、前記前方基板と前記後方基板との間に配され、内部に蛍光体が塗布されている複数の放電セルと、を備えて所定の映像を具現するプラズマディスプレイパネルと、
映像表示面となる前記前方基板の前方に配され、光透過基材に所定間隔をおいて複数の外光吸収パターンが形成されている前面フィルタと、
を備え、
前記外光吸収パターン及び前記蛍光体は、互いに補色関係にある第１色相及び第２色相でそれぞれ着色されていることを特徴とする、プラズマディスプレイ装置。
【請求項１６】
前記第１色相及び前記第２色相は、それぞれ青色及びオレンジ色のうち互いに排他的な色に選択されることを特徴とする、請求項１５に記載のプラズマディスプレイ装置。
【請求項１７】
前記前方基板と前記後方基板との間には、前記前方基板と前記後方基板との間の空間を複数の放電セルで区画する隔壁が設けられ、
前記隔壁は、前記蛍光体と同じ色相で着色されていることを特徴とする、請求項１５に記載のプラズマディスプレイ装置。
【請求項１８】
前記外光吸収パターンは、逆台形の断面形状を有することを特徴とする、請求項１５に記載のプラズマディスプレイ装置。
【請求項１９】
前記外光吸収パターンの側面には、反射面が形成されていることを特徴とする、請求項１５に記載のプラズマディスプレイ装置。
【請求項２０】
前方基板及び後方基板と、前記前方基板と前記後方基板との間に配され、内部に蛍光体が塗布されている複数の放電セルと、を備えて所定の映像を具現するプラズマディスプレイパネルと、
映像表示面となる前記前方基板の前方に配され、光透過基材に複数の外光吸収パターンが形成されている前面フィルタと、
を備え、
補色関係にある第１色相及び第２色相が前方から後方に着色されるように、前記外光吸収パターンは前記第１色相で着色され、前記前方基板は前記第２色相で着色され、前記蛍光体は前記第１色相で着色されていることを特徴とする、プラズマディスプレイ装置。
【請求項２１】
前記前方基板と前記後方基板との間には、前記前方基板と前記後方基板との間の空間を複数の放電セルに区画する隔壁が設けられ、
前記隔壁は、前記蛍光体と同じ色相で着色されていることを特徴とする、請求項２０に記載のプラズマディスプレイ装置。
【発明の詳細な説明】
【技術分野】
【０００１】
本発明は、プラズマディスプレイ装置に関し、より詳細には別途の光吸収部材によらないで減算混合原理及び補色効果を利用して明室コントラストを向上させたプラズマディスプレイ装置に関する。
【背景技術】
【０００２】
プラズマディスプレイ装置は、ガス放電現象を利用して画像を表示する平板表示装置であり、表示容量、輝度、コントラスト、残像及び視野角などの各種表示能力に優れている。また、薄型でありつつ大画面表示が可能で、ＣＲＴ（ＣａｔｈｏｄｅＲａｙＴｕｂｅ）を代替できる次世代平板表示装置として脚光を浴びている。
【０００３】
プラズマディスプレイ装置は、所定の映像を具現するためのプラズマディスプレイパネルと、プラズマディスプレイパネルの前方に配されて画像の品質を改善し、電磁波を遮蔽するための前方フィルタとを備えることが一般的である。
【０００４】
プラズマディスプレイパネルでは、両基板間に配列された複数の放電セル内で放電を引き起こした後、放電結果として生成された紫外線を視聴者が感知できる可視光に変換して、これを外部に放出することによって所定の映像を具現する。
【０００５】
この時、透明な前方基板を通じて外部から流入した可視光が白色透明な誘電体層、白色隔壁または外見上白色を帯びる蛍光体に反射された後、また前方基板を通じて放出されれば、反射輝度が向上することによって、プラズマディスプレイパネルの明室コントラストが減少する。
【発明の開示】
【発明が解決しようとする課題】
【０００６】
このような問題点を解決するために、従来には外部入射光を吸収するように明度の低い暗色物質でブラックストライプを形成して反射輝度を減少させている。しかし、別途のブラックストライプは、その形成のための追加的なペーストの塗布及びパターニング工程を要求し、可視光の出光を遮断しないようにブラックストライプが一部領域に限定して形成されるので、外光吸収が非常に制限的な位置で行われるという問題がある。
【０００７】
プラズマディスプレイパネルの前方に配される前方フィルタとしては、ガラス素材のガラスフィルタが主になっている。ところが、ガラスフィルタは材質特性上、重量が重くて取扱上注意が求められ、これにより、ガラスフィルタを堅強に設けるための別途の支持構造が求められるなどの問題がある。
【０００８】
そこで、本発明は、上記問題に鑑みてなされたものであり、本発明の目的とするところは、別途の光吸収部材によらず、減算混合原理及び補色効果を利用して明室コントラストを向上させ、かつ、フィルタ構造を改善してコストダウンを達成しながらも向上した品質の映像を提供可能な、新規かつ改良されたプラズマディスプレイ装置を提供することにある。
【課題を解決するための手段】
【０００９】
上記課題を解決するために、本発明のある観点によれば、前方基板及び後方基板と、前方基板と後方基板との間に設けられ、内部に蛍光体が塗布されている複数の放電セルと、を備えて所定の映像を具現するプラズマディスプレイパネルと、映像表示面となる前方基板の前面に直接付着される付着フィルタと、を備え、付着フィルタと蛍光体とは、相異なる第１色相及び第２色相によりそれぞれ着色されていることを特徴とする、プラズマディスプレイ装置が提供される。
【００１０】
また、第１色相及び第２色相は、互いに補色関係を構成する色に選択されてもよい。
【００１１】
また、第１色相及び第２色相は、それぞれ青色及びオレンジ色のうち互いに排他的な色に選択されてもよい。
【００１２】
また、蛍光体がその発光色によって赤色、緑色、青色の蛍光体に区分される場合、赤色及び青色の蛍光体は、第２色相で着色され、緑色の蛍光体は、着色されなくてもよい。
【００１３】
また、付着フィルタは、互いに対面して配されたベースフィルム及び電磁波遮蔽層を備え、ベースフィルムは、第１色相で着色されてもよい。
【００１４】
また、付着フィルタは、ベースフィルムと電磁波遮蔽層とが単一層に混入された複合材料からなってもよい。
【００１５】
また、付着フィルタは、ベースフィルムと、ベースフィルムの前方に支持されるアンチグレア層または反射防止層と、ベースフィルムの後方に支持され、電磁波遮断のための電磁波遮蔽層と、ベースフィルムとプラズマディスプレイパネルとの間で結合を媒介する粘着層と、を備え、ベースフィルムと、アンチグレア層または反射防止層と、粘着層とのうち少なくともいずれか１層は、第１色相で着色されてもよい。
【００１６】
また、付着フィルタは、第１ベースフィルムと、第１ベースフィルムの前方に支持されるアンチグレア層または反射防止層と、第１ベースフィルムの後方に配される第２ベースフィルムと、第２ベースフィルムの後方に配される電磁波遮蔽層と、電磁波遮蔽層とプラズマディスプレイパネルとの間で結合を媒介する粘着層と、を備え、第１ベースフィルムと、アンチグレア層または反射防止層と、第２ベースフィルムと、粘着層とのうち少なくともいずれか１層は、第１色相で着色されてもよい。
【００１７】
また、前方基板と後方基板との間には、前方基板と後方基板との間の空間を複数の放電セルに区画する隔壁が設けられ、隔壁は、蛍光体と同じ色相で着色されててもよい。
【００１８】
また、上記課題を解決するために、本発明の別の観点によれば、前方基板及び後方基板と、前方基板と後方基板との間に配され、内部に蛍光体が塗布されている複数の放電セルと、を備えて所定の映像を具現するプラズマディスプレイパネルと、映像表示面となる前方基板の前面に直接付着される付着フィルタと、を備え、互いに補色関係にある第１色相及び第２色相が前方から後方に着色されるように、付着フィルタは第１色相で付着され、前方基板は第２色相で付着され、蛍光体は第１色相で着色されていることを特徴とする、プラズマディスプレイ装置が提供される。
【００１９】
また、第１色相及び第２色相は、それぞれ青色及びオレンジ色のうち互いに排他的な色に選択されてもよい。
【００２０】
また、前方基板と後方基板との間には、前方基板と後方基板との間の空間を複数の放電セルに区画する隔壁が設けられ、隔壁は、蛍光体と同じ色相で着色されてもよい。
【００２１】
また、上記課題を解決するために、本発明の別の観点によれば、複数の放電電極が支持されている前方基板と、放電電極を埋め込む前方誘電体層と、前方基板と後方基板との間を複数の放電セルに区画する隔壁と、放電セル内に塗布された蛍光体と、放電セルの内部に充填されている放電ガスと、を備えるプラズマディスプレイパネルと、映像表示面となる前方基板の前面に直接付着される付着フィルタと、を備え、補色関係にある第１色相及び第２色相が前方から後方に着色されるように、付着フィルタは第１色相で付着され、前方基板は第２色相で付着され、蛍光体は第１色相で着色され、蛍光体は第２色相で着色されてもよい。
【００２２】
また、隔壁は、蛍光体と同じ色相で着色されてもよい。
【００２３】
また、上記課題を解決するために、本発明の別の観点によれば、前方基板及び後方基板と、前方基板と後方基板との間に配され、内部に蛍光体が塗布されている複数の放電セルと、を備えて所定の映像を具現するプラズマディスプレイパネルと、映像表示面となる前方基板の前方に配され、光透過基材に所定間隔をおいて複数の外光吸収パターンが形成されている前面フィルタと、を備え、外光吸収パターン及び蛍光体は、互いに補色関係にある第１色相及び第２色相でそれぞれ着色されていることを特徴とする、プラズマディスプレイ装置が提供される。
【００２４】
また、第１色相及び第２色相は、それぞれ青色及びオレンジ色のうち互いに排他的な色に選択されてもよい。
【００２５】
また、前方基板と後方基板との間には、前方基板と後方基板との間の空間を複数の放電セルで区画する隔壁が設けられ、隔壁は、蛍光体と同じ色相で着色されてもよい。
【００２６】
また、外光吸収パターンは、逆台形の断面形状を有してもよい。
【００２７】
また、外光吸収パターンの側面には、反射面が形成されてもよい。
【００２８】
また、上記課題を解決するために、本発明の別の観点によれば、前方基板及び後方基板と、前方基板と後方基板との間に配され、内部に蛍光体が塗布されている複数の放電セルと、を備えて所定の映像を具現するプラズマディスプレイパネルと、映像表示面となる前方基板の前方に配され、光透過基材に複数の外光吸収パターンが形成されている前面フィルタと、を備え、補色関係にある第１色相及び第２色相が前方から後方に着色されるように、外光吸収パターンは第１色相で着色され、前方基板は第２色相で着色され、蛍光体は第１色相で着色されていることを特徴とする、プラズマディスプレイ装置が提供される。
【００２９】
また、前方基板と後方基板との間には、前方基板と後方基板との間の空間を複数の放電セルに区画する隔壁が設けられ、隔壁は、蛍光体と同じ色相で着色されてもよい。
【発明の効果】
【００３０】
以上説明したように本発明によれば、別途の光吸収部材によらず、減算混合原理及び補色効果を利用して明室コントラストを向上させ、かつ、フィルタ構造を改善してコストダウンを達成しながらも向上した品質の映像を提供できる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
＜第１実施形態＞
図１には、本発明の第１実施形態によるプラズマディスプレイ装置の分解斜視図が図示されており、図２には、図１のＩＩ−ＩＩ線及びＩＩ’−ＩＩ’線の垂直断面図が図示されている。
【００３３】
図１及び図２を参照すれば、本発明のプラズマディスプレイ装置は大きく見て、所定の映像を具現するプラズマディスプレイパネル１００及びプラズマディスプレイパネル１００の映像表示面に付着される付着フィルタ１３０を備える。
【００３４】
プラズマディスプレイパネル１００は、所定間隔をおいて対向するように配されている前方基板１１０及び後方基板１２０と、基板１１０、１２０間の空間を複数の放電セルＳに区画する隔壁１２４と、を備える。前方基板１１０及び後方基板１２０は、ガラス素材のガラス基板で設けられ、基板１１０、１２０間の隔壁１２４は、図示されたように、ストライプパターンの開放型で設けられ、または、これと異なって、マトリックスパターンの閉鎖型隔壁で設けられることもある。前方基板１１０側には、表示放電を引き起こす複数の放電電極対１１４が平行に配されている。対をなす各放電電極１１２、１１３は、ＩＴＯ（ＩｎｄｉｕｍＴｉｎＯｘｉｄｅ）などの光透過導電材からなる透明電極１１２ａ、１１３ａと、透明電極１１２ａ、１１３ａに対面して配され、外部電源と接続された一端部を通じて透明電極１１２ａ、１１３ａに電源を供給するバス電極１１２ｂ、１１３ｂとを備えることができる。但し、本発明の技術的な範囲は、上記の放電電極構造により限定されるものではない。前方基板１１０には、放電電極対１１４を埋め込む誘電体層１１１と、誘電体層１１１を覆う保護膜１１５とが順次に積層されうる。
【００３５】
後方基板１２０には、アドレス放電を引き起こすための複数のアドレス電極１２２が配され、アドレス電極１２２を埋め込む誘電体層１２１が設けられうる。各放電セルＳ内には表示放電により励起されて紫外線を生成する放電ガスが充填されており、放電セルＳを限定する誘電体層１２１上から隔壁１２４にかけて放電結果として生成された紫外線を可視光に変換するための蛍光体１２５が塗布されている。
【００３６】
映像表示面側となる前方基板１１０の前面には、付着フィルタ１３０が配されている。付着フィルタ１３０は、粘着層１３５を利用して前方基板１１０に対して直接付着される。付着フィルタ１３０は、ベースフィルム１３１、ベースフィルム１３１の一面に付着された電磁波遮蔽層１３３を備える。ベースフィルム１３１は、付着フィルタ１３０の支持構造として機能するが、例えば、ポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート、ポリイミド、ポリカーボネート（ＰＣ）、セルローストリアセテート（ＴＡＣ）、セルロースアセテートプロピオネート（ＣＡＰ）などを利用して形成され、望ましくは、ポリカーボネート、ポリエチレンテレフタレート、セルローストリアセテート、ポリエチレンナフタレートで形成される。
【００３７】
ベースフィルム１３１は、外光反射を減らしてコントラストを高めるために、第１色相で着色できる。このために、ベースフィルム１３１は、その内部に着色物質を含むことができるが、例えば、Ｍｎ、Ｎｉ、Ｃｏなどの着色物質を添加して青色で着色され、Ｃｕ、Ｓｂ、Ｃｒなどの着色物質を添加してオレンジ色で着色されることもある。着色されたベースフィルム１３１を通じて、付着フィルタ１３０は全体的に第１色相を帯びる。付着フィルタ１３０が外見上第１色相に見られるかぎり、付着フィルタ１３０を構成する一部層が該当色相で着色されるか、または付着フィルタ１３０をなすあらゆる構成層が該当色相で着色されることもある。
【００３８】
電磁波遮蔽層１３３は、ディスプレイパネル１００と外部環境との電磁気的な干渉を防止することによって、外部電子機器の誤作動を防止してディスプレイパネルの円滑な作動を保証するためのものである。このような電磁波遮蔽層１３３としては、導電性に優れた金属素材をメッシュ構造に形成したものが使われうる。それ以外に、電磁波遮蔽層１３３は、単一金属層またはＩＴＯなどの金属酸化物層で構成され、２層以上に積層された金属層や金属酸化物層または１層以上の金属層または１層以上の金属酸化物層の複合層で構成されることもある。
【００３９】
前述した付着フィルタ１３０は、それぞれ別個に設けられたベースフィルム１３１と電磁波遮蔽層１３３とが積層された複層構造物である。したがって、上記の付着フィルタ１３０を製造するためには、それぞれ異なる層を形成せねばならないので、２回以上の薄膜形成過程が要求される。これにより、工程上の便宜を図るために、ベースフィルム１３１と電磁波遮蔽層１３３とが互いに混入された単層構造の付着フィルタ１３０が考慮される。このような付着フィルタ１３０は、例えば、導電性メッシュの電磁波遮蔽層１３３がベースフィルム１３１を構成する樹脂材料の内部に内包されている複合材料形態に設けられ、この場合、ただ１回の薄膜形成過程を通じて付着フィルタ１３０が提供される。
【００４０】
隔壁１２４により限定された領域内には蛍光体１２５が配されるが、蛍光体１２５は第２色相で着色される。蛍光体１２５の第２色相は、第１色相を帯びる付着フィルタ１３０と共に減算混合されて暗い色を帯びる。これは、絵の具の色彩において、相異なる色相が混合されるほど明度及び彩度が落ちて暗い色相に変わる減算混合性質のためである。特に、第１色相と第２色相とが互いに補色関係を構成すれば、ディスプレイ装置の映像表示面は、外見上第１色相と第２色相との混合で黒色または黒色に近い灰色を帯びるようになる。このように、補色関係にある第１色相と第２色相との組み合わせによりディスプレイ装置に入射される外光が効果的に吸収されうる。このような補色効果は、従来に着色されない構造と本実施形態とで測定された外光反射輝度を比較することによって明確に確認されうる。すなわち、外光反射輝度は従来１５．２ｃｄ／ｍ２で補色原理が適用されることによって、約１０．２ｃｄ／ｍ２レベルに減少する。このような外光反射輝度は、感性画質の尺度になる明室コントラスト比にそのまま反映されるが、明室コントラスト比は以下のように定義できる。
【００４１】
【数１】
2008197645.tif 000003
【００４２】
ここで、ピーク輝度はパネルで得られる最も高いレベルの輝度、すなわち、２５６階調がいずれも表示される場合の輝度であり、バック輝度はパネルで得られる最も低いレベルの輝度、すなわち、０階調である場合の輝度である。同一条件で測定された明室コントラスト比は、従来７０：１レベルで、補色が適用された本実施形態で９３：１レベルに改善された。
【００４３】
補色関係を構成する色相の組み合わせは数えきれない程多く存在し、これらのうち製造工程上の便宜または消費者の好みによって一定の色感を付与するために、特定色相の組み合わせが選択されうる。図３には、減算混合を説明するための色相環が図示されている。色相環で近距離混合は中間色となり、遠距離混合は明度、彩度が低下して灰色に近く変化し、互いに逆位置にある補色同士の混合は黒色または黒色に近く変化される。図面から分かるように、補色組み合わせは赤色−青緑色、黄色−藍色、青色−オレンジ色などを含んで複数存在する。ただし、外光に直接的に露出される付着フィルタ１３０が低明度の色相で着色されれば、付着フィルタ１３０による直接外光吸収を増大させることができて、コントラスト面でさらに有利であるという点を考慮することが望ましい。このような観点で、付着フィルタ１３０の第１色相と蛍光体１２５の第２色相との組み合わせが補色関係の青色−オレンジ色に選択される場合、付着フィルタ１３０はさらに低い明度を持つ青色で着色されることが望ましい。
【００４４】
蛍光体１２５は、その内部に着色物質を含むことができるが、例えば、青色着色物質としてＭｎ、Ｎｉ、Ｃｏなどを含むことができ、オレンジ色着色物質としてＣｕ、Ｓｂ、Ｃｒなどを含むことができる。ただし、製造工程が許容するかぎり、多様な他の着色物質が使われうるということは言うまでもない。
【００４５】
一般的なカラーディスプレイでは、相異なる単色光の組み合わせによりフルカラーの映像を具現しているが、各単色光はその波長対によって全体輝度に寄与する程度が互いに異なる。通常、光の３原色である赤色光、緑色光、及び青色光の組み合わせによりカラーディスプレイが具現される場合が主になっているが、緑色光が全体輝度で占める比重は５０％内外であって、緑色光が全体輝度に最も大きい影響を与えると知られている。したがって、緑色の蛍光体１２５Ｇに着色物質が添加されることによって発光効率が落ちるならば、全体ディスプレイの輝度低下につながる可能性がある。これに備えて、あらゆる蛍光体１２５を一括的に着色せず、蛍光体１２５の種類によって選別的に着色する構成も考慮することができる。例えば、輝度保持のために、緑色の蛍光体１２５Ｇは着色せず、残りの赤色の蛍光体１２５Ｒ及び／または青色の蛍光体１２５Ｂだけを着色できることである。また、各蛍光体１２５によって互いに相異なる発光効率を考慮して、例えば、発光効率が最も低い青色の蛍光体１２５Ｂには着色物質を添加せず、残りの赤色の蛍光体１２５Ｒ及び緑色の蛍光体１２５Ｇのみを着色することによって、全体的な色感の均衡を図ることができる。
【００４６】
＜第２実施形態＞
図４には、本発明の第２実施形態によるプラズマディスプレイ装置の垂直断面図が図示されている。図面を参照すれば、本実施形態に適用される付着フィルタ２３０は、ベースフィルム２３１と、ベースフィルム２３１の一面に配されたアンチグレア層２３７と、ベースフィルム２３１の他面に配された電磁波遮蔽層２３３と、そして、付着フィルタ２３０とプラズマディスプレイパネル１００との間に介在されて結合を媒介する粘着層２３５とを備える。
【００４７】
アンチグレア層２３７は、図面から分かるように、表面に微細な凹凸形状を有するか、またはその表面に複数の微細なドットが規則的または不規則的なパターンに配列された構造を有することができる。アンチグレア層２３７は、プラズマディスプレイパネル１００に入射される外光を大きい角度範囲で散乱、拡散させて視聴者の視覚に外光が捉えないようにするか、少なくとも捉える光量を大幅減少させることができる。
【００４８】
粘着層２３５は、プラズマディスプレイパネル１００の前面に付着フィルタ２３０を固定するためのものであり、温度条件及び光に反応して硬化される性質を持つ熱硬化性樹脂またはＵＶ硬化性樹脂からなり、例えば、アクリレート系樹脂、ＰＳＡ（ＰｒｅｓｓｕｒｅＳｅｎｓｉｔｉｖｅＡｄｈｅｓｉｖｅ）からなりうる。
【００４９】
粘着層２３５には、必要に応じて近赤外線遮蔽、色補正及びネオン光遮蔽などの追加的な機能が付加され、このために、例えば、銅化合物や燐化合物などの近赤外線遮断／吸収物質を含むことができる。一方、本実施形態の主要な技術的構成で、付着フィルタ２３０は外見上第１色相を帯びるが、このために粘着層２３５が第１色相で着色されうる。粘着層２３５がベースフィルム２３１と共に第１色相で着色されれば、着色効果をさらに強化でき、着色された色相によって粘着層２３５の色補正も可能になる。このように、ベースフィルム２３１及び粘着層２３５は共に第１色相で着色され、このうちいずれか一つだけ選択的に着色されてもよい。それだけでなく、製造工程が許諾するかぎり、付着フィルタ２３０を構成する異なる層構造が着色されることもできる。
【００５０】
本実施形態においても、第１色相で着色された付着フィルタ２３０と、第２色相で着色された蛍光体１２５とが共に減算混合されつつ、それらが重なる領域は外光吸収に有利な暗い色を帯びる。特に、第１色相と第２色相とが互いに補色関係に選定されれば、該当部分は外見上黒色ないし黒色に近い色を帯びるようになって外光吸収がさらに促進される。たとえ図面に図示されてはいないにしても、図４に図示された付着フィルタ２３０の変形例として、フィルタ２３０の前面を形成するアンチグレア層２３７の代りに、同じ位置に反射防止層が配されることもある。反射防止層は、外部から入射される外光が付着フィルタ２３０により再び外部に反射されることを防止する機能を行い、屈折率の相異なる複数の物質層を積層して提供できる。反射防止層はアンチグレア層２３７とは異なる原理によるが、結局外光が視聴者の見解に感知されないようにして、画像のコントラストを向上させるという同じ目的に寄与する。
【００５１】
＜第３実施形態＞
図５には、本発明の第３実施形態によるプラズマディスプレイ装置の垂直断面図が図示されている。図面を参照すれば、本実施形態に適用される付着フィルタ３３０は、互いに離隔している第１ベースフィルム３３１と第２ベースフィルム３３４とを備える。第１ベースフィルム３３１は、一側の反射防止層３３７と他側の粘着層３３２とを支持し、第２ベースフィルム３３４は、１側の電磁波遮蔽層３３３と他側の粘着層３３５とを支持する。第１ベースフィルム３３１及び第２ベースフィルム３３４と、及びそれら第１ベースフィルム３３１及び第２ベースフィルム３３４に支持される構成層は、粘着層３３２により互いに対面して結合され、全体付着フィルタ３３０は、粘着層３３５を通じてプラズマディスプレイパネル１００に対して直接付着される。
【００５２】
第１、第２ベースフィルム３３１、３３４はいずれも同じ第１色相で着色され、または付着フィルタ３３０が外見上第１色相を持つかぎり、いずれか一つのベースフィルム３３１、３３４のみ選択的に着色されてもよい。また、粘着層３３２、３３５のうち少なくとも一つの粘着層３３２、３３５が同じ色相で着色されれば、フィルタ３３０の着色効果がさらに強化される。
【００５３】
隔壁１２４により限定された領域に塗布された蛍光体１２５は、第１色相と補色関係にある第２色相で着色されることが望ましい。蛍光体１２５に着色された第２色相は、光透過誘電体層１１１と前方基板１１０とを通じて付着フィルタ３３０の第１色相と混合され、補色混合により光吸収に有利な黒色系統の色相を作る。一方、図面に例示されていないが、付着フィルタ３３０の前面を構成する反射防止層３３７の代りに同じ位置にアンチグレア層が配されることもある。
【００５４】
＜第４実施形態＞
図６には、本発明の第４実施形態によるプラズマディスプレイ装置の垂直断面図が図示されている。図６を参照すれば、本実施形態のプラズマディスプレイ装置は、所定の映像を提供するプラズマディスプレイパネル１００と、ディスプレイパネル１００の映像表示面側に配される付着フィルタ１３０とを備える。付着フィルタ１３０は、その構成から外見上第１色相を帯びるかぎり、前の実施形態で説明されたように多様に構成される。
【００５５】
本実施形態では蛍光体１２５と共に、隔壁１２４’自体も第２色相で着色されているという点で前述した実施形態等と異なる。すなわち、互いに補色関係を構成する第１色相及び第２色相は、互いに重畳する領域で補色効果を提供するので、第１色相で着色された付着フィルタ１３０に対応して、蛍光体１２５のだけでなく非表示領域に該当する隔壁１２４’も第２色相で着色することによって、事実上表示面の全領域にかけて補色効果による外光吸収が可能になる。隔壁１２４’は、内部に着色物質を含む隔壁ペーストを該当領域に塗布することによって形成され、この時、選定された色相によって、例えば、オレンジ色着色物質としてＣｕ、Ｓｂ、Ｃｒなどを含むことができ、青色着色物質としてＭｎ、Ｎｉ、Ｃｏなどを含むことができる。一方、映像が表示される前方基板１１０側から隔壁１２４’を見た時、隔壁１２４’が該当色を帯びればよいので、隔壁１２４’の全部が着色されることもある、これと異なって、前方基板１１０側の上部のみ選択的に着色されてもよい。
【００５６】
＜第５実施形態＞
図７には、本発明の第５実施形態によるプラズマディスプレイ装置の垂直断面図が図示されている。図７を参照すれば、本実施形態のディスプレイ装置は、所定の映像を具現するプラズマディスプレイパネル１００と、ディスプレイパネル１００の映像表示面に付着される付着フィルタ１３０とを備えている。付着フィルタ１３０の基本構造は、事実上前述した実施形態と同一に構成され、付着フィルタ１３０は外見上第１色相を帯びる。付着フィルタ１３０についての詳細な説明は省略する。
【００５７】
一方、プラズマディスプレイパネル１００は、前方基板１１０’と後方基板１２０、そして、両基板１１０’、１２０の間で複数の放電セルＳを区画する隔壁１２４を持つ。前方基板１１０’は第２色相で着色されている。隔壁１２４により区画された領域には蛍光体１２５が塗布されるが、蛍光体１２５は第１色相で着色されている。それぞれ前方基板１１０’及び蛍光体１２５に着色された第１色相及び第２色相は、互いに補色をなす色相の組み合わせで選択されうる。例えば、第１色相−第２色相は、補色関係の青色−オレンジ色の組み合わせで選択されうる。
【００５８】
この時、隣接した付着フィルタ１３０の第１色相と前方基板１１０’の第２色相とが互いに混合されて黒色を帯びることで単一補色効果を提供する。このように、隣接した前方基板１１０’の第２色相と蛍光体１２５の第１色相とが混合されつつ、さらに他の単一補色効果を提供する。したがって、外部からディスプレイ装置を見た時、第１色相の付着フィルタ１３０と第２色相の前方基板１１０’と第１色相の蛍光体１２５とが互いに重なって観察されつつ、いわゆる、二重の補色効果を奏し、さらに明度及び彩度が落ちる濃い黒色を帯びて外光吸収効果が倍加される。２重補色効果は、図２の単一補色構造と外光反射輝度及び明室コントラストを互いに比較することによって明確に確認されうる。外光反射輝度は、単一補色構造の１０．２ｃｄ／ｍ２レベルから、２重補色効果を通じて８．２ｃｄ／ｍ２レベルに改善されると測定された。また、同一条件で測定された明室コントラスト比は、単一補色構造で約９３：１、本実施形態の２重補色構造で約１２０：１と測定されて、補色効果を重畳させることによって、相当なレベルの明室コントラスト改善効果を得ることができることが分かる。
【００５９】
本実施形態のプラズマディスプレイ装置では、互いに補色をなす第１色相と第２色相とが互いに交互に反復して配置されつつ２重補色効果をなしているが、付着フィルタ１３０と前方基板１１０’と蛍光体１２５とがいずれも異なる色相で着色されてもよい。この時、付着フィルタ１３０の第１色相と前方基板１１０’の第２色相と蛍光体１２５の第３色相とが互いに減算混合されつつ、重畳する部分が濃い暗色を帯びる。
【００６０】
＜第６実施形態＞
図８には、本発明の第６実施形態によるプラズマディスプレイ装置の垂直断面構造が図示されている。本実施形態でも前述したように、補色関係にある第１色相と第２色相とが互いに交互に反復的に配されることによって、いわゆる２重補色の効果を奏することができる。より具体的に説明すれば、付着フィルタ１３０は第１色相、前方誘電体層１１１’は第２色相、そして、蛍光体１２５は再び第１色相で着色されている。したがって、それらが共に重畳的に観察されれば、付着フィルタ１３０と前方誘電体層１１１’との組み合わせが一つの減算混合効果を、同時に、前方誘電体層１１１’と蛍光体１２５との組み合わせがさらに他の減算混合効果を作り出す。本実施形態では同じ２重補色効果を達成するが、前方基板１１０の代わりに前方誘電体層１１１’を着色層として活用するという点で第５実施形態と差がある。言い換えれば、着色層として活用される構成要素は、具体的な着色工程上の便宜によって選択されうる。
【００６１】
＜第７実施形態＞
図９には、本発明の第７実施形態によるプラズマディスプレイ装置の垂直断面図が図示されている。本実施形態ではいわゆる２重補色効果のために、順次に配された付着フィルタ１３０、前方基板１１０’、そして、蛍光体１２５に対して補色関係にある第１色相と第２色相とを交互に着色する。ここで、図７の第５実施形態と構造上異なるのは、蛍光体１２５と共に蛍光体１２５の塗布領域を区画する隔壁１２４’も同じ色で着色されるという点である。通例的に使われる隔壁材料は外見上白色を帯びていて、外光をそのまま反射して画像の品質を落とす恐れがある。もちろん、図７の第５実施形態では、着色された付着フィルタ１３０と前方基板１１０’とを通じて隔壁の白色が外部にそのまま表れないので、従来構造に比べて相対的に隔壁によるコントラストの低下部分が少ないといえる。しかし、本実施形態によれば、非表示領域に該当する隔壁１２４’自体も表示領域の蛍光体１２５と同一に着色することによって、付着フィルタ１３０及び前方基板１１０’と共に２重補色効果が提供される領域が事実上表示面の全域に拡大されうる。
【００６２】
＜第８実施形態＞
図１０には、本発明の第８実施形態によるプラズマディスプレイ装置の垂直断面図が図示されている。本実施形態では、互いに補色をなす第１色相と第２色相とが互いに交互に配されて多重の補色効果が達成されている。より具体的に説明すれば、付着フィルタ１３０は第１色相で着色されており、前方基板１１０’は第２色相で着色されており、前方誘電体層１１１’は再び第１色相に、そして、蛍光体１２５は再び第２色相で着色されている。これにより、第１色相の付着フィルタ１３０と第２色相の前方基板１１０’との組み合わせが一つの単一補色効果を提供し、第２色相の前方基板１１０’と第１色相の前方誘電体層１１１’との組み合わせがさらに他の単一補色効果を提供し、第１色相の前方誘電体層１１１’と第２色相の蛍光体１２５との組み合わせがさらに他の単一補色効果を提供する。このように、補色効果が３重に重畳しつつ、本実施形態のプラズマディスプレイ装置は外見上非常に濃い黒色を帯び、外光による画質低下がほとんどない鮮明な映像が提供される。
【００６３】
３重補色効果は、外光反射輝度及び明室コントラストの比較を通じて明確に確認されうる。外光反射輝度は、単一補色で約１０．２ｃｄ／ｍ２、２重補色で約８．２ｃｄ／ｍ２、そして３重補色で６．６ｃｄ／ｍ２に順次に低下する。また、同一条件で測定された明室コントラスト比は、単一補色構造で約９３：１、２重補色構造で約１２０：１、そして本実施形態の３重補色構造で約１５１：１と測定されて補色効果を重畳させることによって、相当なレベルの明室コントラスト改善効果が得られることが分かる。一方、補色が適用されない従来構造と本実施形態とを比較すれば、外光反射輝度は従来の１５．２ｃｄ／ｍ２から６．６ｃｄ／ｍ２レベルに大幅向上し、これにより明室コントラスト比は従来の７０：１から１５１：１に大きく改善される。
【００６４】
第１色相と第２色相との組み合わせは、補色関係を構成する多くの色相の組み合わせのうち、工程上の便宜や顧客の好みに合う色感などを考慮して任意に選定されるが、例えば、青色−オレンジ色の組み合わせで選択されうる。ただし、外光に直接的に露出される付着フィルタ１３０は、低明度の色で着色されて初めて外光吸収を増大させることができる。の考慮から、第１色相−第２色相が青色−オレンジ色の組み合わせで選択される時、外光に直接露出される付着フィルタは、さらに低明度の青色で着色されることが望ましい。
【００６５】
図１１の変形例に図示されたように、蛍光体１２５と共に蛍光体１２５の塗布領域を区画する隔壁１２４’も同じ色で着色され、この場合、その上に配された第１色相−第２色相の組み合わせと共にさらに広い領域にかけて多重補色効果が提供される。
【００６６】
＜第９実施形態＞
図１２には、本発明の第９実施形態によるプラズマディスプレイ装置の分解斜視図が図示されており、図１３には、図１２のＸＩＩＩ−ＸＩＩＩ線の垂直断面図が図示されている。図示されたプラズマディスプレイ装置は大きく見て、ディスプレイパネル４００と、ディスプレイパネル４００の映像表示面に付着される前面フィルタ４３０とを備える。
【００６７】
前面フィルタ４３０は、光透過基材４３１に一定の間隔で配列された数十ミクロンスケールの外光吸収パターン４３５を備える。外光吸収パターン４３５は逆台形の構造に形成され、それ以外に逆三角形などを含む多様な３次元的な形態に設けられうる。外光吸収パターン４３５は第１色相で着色されている。着色された外光吸収パターン４３５は、光透過基材４３１に一定の間隔をおいて第１色相の着色物質を添加して提供される。ここで、光透過基材４３１はポリカーボネートからなり、外光吸収パターン４３５は青色着色物質であり、Ｍｎ、Ｎｉ、Ｃｏなどを含むことができる。外光吸収パターン４３５の側壁には反射面ｒが形成されていることが望ましいが、反射面ｒは、アルミニウムなどの反射率が高い金属コーティング層で形成される。プラズマディスプレイパネル４００の内部で維持放電を通じて得られた表示光Ｐは、外光吸収パターン４３５間を通過しつつ反射面ｒの反射作用を経て外部に導光され、ユーザが認識できる所定の映像を構成する。外光吸収パターン４３５は、その間の領域を通じて表示光の入光面Ａｉ及び出光面Ａｏを定義するが、出光面Ａｏは入光面Ａｉより狭く形成されることが望ましい。この時、前面フィルタ４３０を通過する表示光Ｐは、入光面Ａｉ側から出光面Ａｏ側へ行きつつ順次に縮少される投光面積に対応して光軸を中心に集束され、集束された光はさらに高い輝度及び色鮮明度を持つようになって映像の鮮鋭度が向上するので、例えばＸＧＡやＳＸＧＡのような高解像度、高精密の映像が提供される。前面フィルタ４３０は、接着層（図示せず）によりプラズマディスプレイパネル４００の映像表示面に対して直接付着され、または別途の固定機構を通じてプラズマディスプレイパネル４００と離隔して設けられてもよい。
【００６８】
プラズマディスプレイパネル４００は、所定間隔をおいて対向して配された前方基板４１０及び後方基板４２０と、基板４１０、４２０の間に配された隔壁４２４とを備える。前方基板４１０側には互いに平行に延びる複数の放電電極対４１４が配されており、対をなす各放電電極４１２、４１３は上下に対面して配される透明電極及びバス電極を備えて構成される。放電電極４１４は、誘電体層４１１により埋め込まれている。誘電体層４１１上には保護膜４１５が覆われている。後方基板４２０側には放電電極４１４と交差する方向に延びる複数のアドレス電極４２２が配されており、アドレス電極４２２は、誘電体層４２１により埋め込まれている。誘電体層４２１上には複数の放電セルＳを区画する隔壁４２４が配され、隔壁４２４により区画された領域内には蛍光体４２５が塗布されている。
【００６９】
本実施形態では、蛍光体４２５が前面フィルタ４３０の第１色相と補色をなす第２色相で着色されている。このように互いに補色をなす第１色相と第２色相とは、例えば、青色−オレンジ色の組み合わせで選択され、蛍光体４２５はオレンジ色着色物質であり、Ｃｕ、Ｓｂ、Ｃｒなどを含むことができる。第１色相と第２色相の補色同士の減色混合により前面フィルタ４３０（より具体的に、前面フィルタの外光吸収パターン４３５）と蛍光体４２５とが互いに重畳する領域は、外部入射光Ｅの吸収に有利な黒色または少なくとも黒色に近い暗い色を帯びるということは既に説明した通りである。
【００７０】
同じ外光吸収パターン４３５の前面フィルタ４３０と同じ構造のプラズマディスプレイパネル４００を持っても、それらが着色されない構造では外光反射輝度が約１５．２ｃｄ／ｍ２で相対的に高く測定された。しかし、着色による補色効果を持つ本実施形態では、同じ条件で外光反射輝度が約８．０ｃｄ／ｍ２と相当な低下を示した。このような外光反射輝度は感性画質の尺度になる明室コントラスト比にそのまま反映され、前述した着色されない構造で明室コントラスト比は約７０：１と測定され、本実施形態では約１２５：１と測定されて、画像品質が画期的に改善されたことが分かる。
【００７１】
本実施形態とは異なって、補色効果によらずにその自体で黒色を帯びた外光吸収パターン４３５によっても外光反射輝度はある程度低下する。しかし、この場合、外光吸収パターン４３５がカバーできないパターン間の領域を通じる外光反射は防止できなくなる。また、黒色顔料よりは明度が高い着色剤、例えば、青色顔料がさらに低コストで提供されるので、補色原理によるのが、外光吸収パターン自体を黒色で着色するよりコスト側面でも望ましい。
【００７２】
＜第１０実施形態＞
図１４には、本発明の第１０実施形態によるプラズマディスプレイ装置の垂直断面図が図示されている。図面を参照すれば、前面フィルタ４３０と対面する前方基板４１０’が第２色相で着色されている。第２色相は、外光吸収パターン４３５の第１色相と補色関係にある色に選定され、例えば、第１色相−第２色相は、青色−オレンジ色の補色組み合わせで選択されうる。外光吸収パターン４３５と前方基板４１０’とが重なる領域は、第１色相と第２色相との減算混合作用で外見上黒色または黒色に近い灰色に観察されるが、これは、外部入射光を吸収して外光反射を減らし、コントラストが向上することを意味するのである。
【００７３】
前方基板４１０’と後方基板４２０との間には放電セルＳを区画する隔壁４２４が配され、放電セルＳの内部には第１色相で着色された蛍光体４２５が塗布される。これは、いわゆる、２重補色効果を目的とするものであるが、互いに補色で着色された外光吸収パターン４３５及び前方基板４１０’が共に減算混合され、同時に、前方基板４１０’と蛍光体４２５とが互いに補色で着色されてさらに他の減算混合効果を奏する。このような２重補色作用で、ディスプレイパネル４００の該当領域は全体的にさらに濃い黒色を帯び、外光吸収にさらに有利になる。
【００７４】
前方基板４１０’の代りに前方誘電体層４１１が着色層として提供され、補色関係にある色相でそれぞれ着色された外光吸収パターン４３５と前方誘電体層４１１とが共に減算混合を通じて外部入射光を吸収できる黒色トーンを作りだすということは、前述した通りである。前方基板４１０’と前方誘電体層４１１とが共に着色層として提供されうるということは言うまでもない。
【００７５】
図１５には、図１４に図示されたプラズマディスプレイ装置の変形例についての垂直断面図が図示されている。前述した実施形態と異なる点は、後方基板４２０側の蛍光体４２５のみならず、隔壁４２４’も蛍光体４２５と同じ色相で着色されているということである。これは、前方基板４１０’との重畳領域を非発光領域に該当する隔壁４２４’まで拡大することによって、さらに広い領域で外光吸収を促進するためである。
【００７６】
＜上記各実施形態による効果の一例＞
本発明に係る各実施形態では、補色関係にある色相を、付着フィルタとパネル内部との互いに重畳する位置に配色することによって、それらが減算混合されて全体的に映像表示面が黒色を帯びるようにする。これにより、従来外光吸収のための別途のブラックストライプが不要になるので、コストダウンになり、製造時の手間が縮少して歩留まりが増大するという効果がある。また、従来にはブラックストライプが形成された一部領域に限って外光吸収がなされたが、本発明に係る各実施形態では表示領域と非表示領域とをいずれも包括する事実上映像表示面の全面にわたって外光吸収がなされるという長所がある。
【００７７】
特に、本発明に係る各実施形態によれば、外光吸収のための補色間の組み合わせを、必要に応じて付着フィルタとパネル内部に多重に重畳して設計できるので、要求される設計仕様に対応して映像鮮明度を高レベルに向上させることができる。
【００７８】
上記のような効果を達成しつつも、本発明に係る各実施形態では着色層として付着フィルタを活用して、フィルタの固有機能をいずれも保持しつつも従来のガラスフィルタの短所を解決できる。これにより、本発明に係る各実施形態の付着フィルタはその設置のための別途の固定部材を要求せず、ディスプレイパネルの前面に付着されて一体に取り扱われるので、作業上の便宜が図られる。
【００７９】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【００８０】
本発明は、ディスプレイ装置関連の技術分野に好適に適用可能である。
【図面の簡単な説明】
【００８１】
【図１】本発明の第１実施形態によるプラズマディスプレイ装置の分解斜視図である。
【図２】図１のＩＩ−ＩＩ線及びＩＩ’−ＩＩ’線の垂直断面図である。
【図３】相異なる色相間の減算混合及び補色関係を説明するために模式的に図示された色相環を示す図面である。
【図４】本発明の第２実施形態によるプラズマディスプレイ装置の垂直断面図である。
【図５】本発明の第３実施形態によるプラズマディスプレイ装置の垂直断面図である。
【図６】本発明の第４実施形態によるプラズマディスプレイ装置の垂直断面図である。
【図７】本発明の第５実施形態によるプラズマディスプレイ装置の垂直断面図である。
【図８】本発明の第６実施形態によるプラズマディスプレイ装置の垂直断面図である。
【図９】本発明の第７実施形態によるプラズマディスプレイ装置の垂直断面図である。
【図１０】本発明の第８実施形態によるプラズマディスプレイ装置の垂直断面図である。
【図１１】図１０の変形例によるプラズマディスプレイパネルの垂直断面図である。
【図１２】本発明の第９実施形態によるプラズマディスプレイ装置の分解斜視図である。
【図１３】図１２のＸＩＩＩ−ＸＩＩＩ線の垂直断面図である。
【図１４】本発明の第１０実施形態によるプラズマディスプレイ装置の垂直断面図である。
【図１５】図１４の変形例によるプラズマディスプレイパネルの垂直断面図である。
【符号の説明】
【００８２】
１００              プラズマディスプレイパネル
１１０              前方基板
１１１、１２１      誘電体層
１１２、１１３      放電電極
１１２ａ、１１３ａ  透明電極
１１２ｂ、１１３ｂ  バス電極
１１４              放電電極対
１１５              保護膜
１２０              後方基板
１２２              アドレス電極
１２４              隔壁
１２５              蛍光体
１２５Ｒ            赤色の蛍光体
１２５Ｇ            緑色の蛍光体
１２５Ｂ            青色の蛍光体
１３０              付着フィルタ
１３１              ベースフィルム
１３３              電磁波遮蔽層
１３５              粘着層
Ｓ                  放電セル
【図１】
2008197645.tif 000004
【図２】
2008197645.tif 000005
【図３】
2008197645.tif 000006
【図４】
2008197645.tif 000007
【図５】
2008197645.tif 000008
【図６】
2008197645.tif 000009
【図７】
2008197645.tif 000010
【図８】
2008197645.tif 000011
【図９】
2008197645.tif 000012
【図１０】
2008197645.tif 000013
【図１１】
2008197645.tif 000014
【図１２】
2008197645.tif 000015
【図１３】
2008197645.tif 000016
【図１４】
2008197645.tif 000017
【図１５】
2008197645.tif 000018